(57)【要約】【課題】光変調素子として用いる液晶装置を低コスト且つ省スペースで加熱することができ、当該液晶装置のベンド転移を速く進行させることが可能なプロジェクタを提供すること。【解決手段】液晶分子の配向状態をスプレイ配向からベンド配向へと転移するときに熱伝導部材６１を上記位置に移動させることによって、熱伝導部材６１から光照射領域３７に熱を伝達することができ、ベンド転移の際の液晶層の温度を高くすることができる。これにより、ベンド転移に要する時間を短くすることができる。しかも、従来のような大掛かりな加熱機構を搭載することも無いため、低コスト化かつ省スペース化を図ることができる。【選択図】図３
2008083178.tif 000002
【特許請求の範囲】
【請求項１】
光源と、前記光源からの光が照射される光照射領域を有し当該光照射領域に照射された光を変調する光変調素子と、前記光変調素子により変調された光を投射する投射レンズとを備えたプロジェクタであって、
前記光変調素子が、対向配置された一対の基板と、前記一対の基板で挟持された液晶層とを有すると共に、前記液晶層の液晶分子の配向状態をスプレイ配向からベンド配向へと転移させて光変調を行う液晶装置であり、
前記光照射領域に照射される前記光を遮光可能であると共に前記光照射領域に近接した位置に移動可能に設けられた熱伝導部材
を具備することを特徴とするプロジェクタ。
【請求項２】
前記熱伝導部材が前記光変調素子に接触する位置に移動可能に設けられている
ことを特徴とする請求項１に記載のプロジェクタ。
【請求項３】
前記熱伝導部材は、前記光変調素子に接触する部分に凸部を有する
ことを特徴とする請求項２に記載のプロジェクタ。
【請求項４】
前記熱伝導部材が複数設けられており、
前記複数の熱伝導部材のそれぞれが異なる位置に移動可能に設けられている
ことを特徴とする請求項１乃至請求項３のうちいずれか一項に記載のプロジェクタ。
【請求項５】
前記複数の熱伝導部材のそれぞれが、前記光変調素子に対して異なる方向から移動可能に設けられている
ことを特徴とする請求項４に記載のプロジェクタ。
【請求項６】
前記複数の熱伝導部材のうち、一の熱伝導部材の少なくとも一部に第１遮蔽部が設けられている
ことを特徴とする請求項４又は請求項５のうちいずれか一項に記載のプロジェクタ。
【請求項７】
前記熱伝導部材が、前記光照射領域の周縁部を遮蔽可能な第２遮蔽部を有している
ことを特徴とする請求項１乃至請求項６のうちいずれか一項に記載のプロジェクタ。
【請求項８】
前記液晶分子の配向状態をスプレイ配向からベンド配向へと転移するベンド転移時に前記熱伝導部材が前記位置に移動するように、前記熱伝導部材の移動を制御する移動制御手段を更に具備することを特徴とする請求項１乃至請求項７のうちいずれか一項に記載のプロジェクタ。
【請求項９】
前記光変調素子の少なくとも一部がフレームによって覆われており、
前記ベンド転移時以外のときには、前記熱伝導部材が前記フレームに接触している
ことを特徴とする請求項８に記載のプロジェクタ。
【発明の詳細な説明】
【技術分野】
【０００１】
本発明は、光変調素子としてＯＣＢ（Optical Compensated Bend）モードの液晶装置を搭載したプロジェクタに関する。
【背景技術】
【０００２】
液晶プロジェクタに用いられる液晶装置の分野では、静止画はもとより動画の画質向上が求められている。動画の画質向上のためには、液晶装置の応答速度を高くすることが不可欠である。近年では、応答速度の高いＯＣＢ（Optical Compensated Bend）モードの液晶装置が注目されている。
【０００３】
ＯＣＢモードの液晶装置は、初期状態と表示動作状態とで液晶分子の配向が変化するようになっている。初期状態では液晶分子の配向が２枚の基板間でスプレイ状に開くように規制される（スプレイ配向）。表示動作状態では液晶分子の配向が２枚の基板間で弓なりに曲がるように規制される（ベンド配向）。
【０００４】
ＯＣＢモードの液晶装置で画像表示や光変調を行う場合には、ベンド配向の状態で駆動電圧を印加する。ベンド配向の状態では、電圧を印加したときに液晶分子の配向が切り替わるまでの時間がＴＮモードやＳＴＮモードの場合に比べて短くなるので、光透過率を短時間で変化させることができ、高速応答が可能となる。
【０００５】
ＯＣＢモードの液晶装置では、液晶分子の配向をスプレイ配向からベンド配向に変化させる際、ある閾値電圧以上の電圧を液晶層に印加する必要がある（初期転移操作）。初期転移操作が不十分な場合には、スプレイ配向からベンド配向への変化が不十分となり、表示不良が生じたり応答速度が低くなったりする。このベンド転移を電圧印加のみで誘起させるには、数秒〜数分程度の時間を要するので、実際には他の手段によって時間短縮を図るようにしている。例えば特許文献１に示すように、加熱装置を取り付けることによって液晶装置を加熱する手法が記載されている。ベンド転移は温度が高いほど速く進行するため、加熱によって転移時間を短縮することができる。  
【特許文献１】特開２００２−２５０９０９号公報
【発明の開示】
【発明が解決しようとする課題】
【０００６】
しかしながら、特にプロジェクタなどの光変調装置に用いられる液晶装置に別途加熱装置などの熱源を取り付ける場合、装置全体が大掛かりであるためスペースを取ってしまい、プロジェクタが大型化してしまう。また、これに伴ってコストがかさんでしまう。  
以上のような事情に鑑み、本発明の目的は、光変調素子として用いる液晶装置を低コスト且つ省スペースで加熱することができ、当該液晶装置のベンド転移を速く進行させることが可能なプロジェクタを提供することにある。
【課題を解決するための手段】
【０００７】
上記目的を達成するため、本発明に係るプロジェクタは、光源と、前記光源からの光が照射される光照射領域を有し当該光照射領域に照射された光を変調する光変調素子と、前記光変調素子により変調された光を投射する投射レンズとを備えたプロジェクタであって、前記光変調素子が、対向配置された一対の基板と、前記一対の基板で挟持された液晶層とを有すると共に、前記液晶層の液晶分子の配向状態をスプレイ配向からベンド配向へと転移させて光変調を行う液晶装置であり、前記光照射領域に照射される前記光を遮光可能であると共に前記光照射領域に近接した位置に移動可能に設けられた熱伝導部材を具備することを特徴とする。  
本発明は、液晶層の液晶分子の配向状態をスプレイ配向からベンド配向へと転移させて光変調を行う、いわゆるＯＣＢモードの液晶装置を光変調素子として用いたプロジェクタにおける発明である。本発明の構成によれば、液晶装置の光照射領域に照射される前記光を遮光可能であると共に前記光照射領域に近接した位置に移動可能に設けられた熱伝導部材を具備するので、熱伝導部材をこの位置に移動させた場合、当該熱伝導部材は光源からの光を吸収して発熱し、この熱を近傍の光変調素子に伝達することになる。このため、例えば液晶分子の配向状態をスプレイ配向からベンド配向へと転移するときに熱伝導部材を上記位置に移動させることによって、熱伝導部材から光照射領域に熱を伝達することができ、ベンド転移の際の光変調素子（液晶装置）の温度を高くすることができる。これにより、ベンド転移に要する時間を短くすることができる。しかも、従来のような大掛かりな加熱機構を搭載することも無いため、低コスト化かつ省スペース化を図ることができる。
【０００８】
上記プロジェクタは、前記熱伝導部材が前記光変調素子に接触する位置に移動可能に設けられていることを特徴とする。  
本発明によれば、熱伝導部材が光変調素子に接触する位置に移動可能に設けられているので、この熱伝導部材によって発生した熱を光変調素子に直接的に伝導させることができる。これにより、光変調素子の温度を効率的に高めることができる。
【０００９】
上記プロジェクタは、前記熱伝導部材は、前記光変調素子に接触する部分に凸部を有することを特徴とする。  
本発明によれば、熱伝導部材が光変調素子に接触する部分に凸部を有するので、この熱伝導部材によって発生した熱を直接的に光変調素子に伝導させることができると共に、熱伝導部材の全面を接触させるのではなく凸部のみ接触させることによって光変調素子に傷がつくのを極力抑えることができる。
【００１０】
上記プロジェクタは、前記熱伝導部材が複数設けられており、前記複数の熱伝導部材のそれぞれが異なる位置に移動可能に設けられていることを特徴とする。  
本発明によれば、熱伝導部材が複数設けられており、この複数の熱伝導部材のそれぞれが異なる位置に移動可能に設けられているので、例えば１つの熱伝導部材を分割した状態で別個の熱伝導部材として設けることができる。このように、小回りの効いた設計が可能となる。また、１つの大きな熱伝導部材を移動させるよりも、複数の小さな熱伝導部材を移動させる場合の方が、熱伝導部材の移動範囲を小さくすることができる。これにより、省スペース化を図ることができる。
【００１１】
上記プロジェクタは、前記複数の熱伝導部材のそれぞれが、前記光変調素子に対して異なる方向から移動可能に設けられていることを特徴とする。  
本発明によれば、複数の熱伝導部材のそれぞれが、光変調素子に対して異なる方向から移動可能に設けられているので、例えば熱伝導部材を移動させる際に最短距離で移動させることができる。このように、熱伝導部材の移動を必要最小限に抑えることにより、省スペース化を図ることができる。
【００１２】
上記プロジェクタは、前記複数の熱伝導部材のうち、一の熱伝導部材の少なくとも一部に第１遮蔽部が設けられていることを特徴とする。  
本発明によれば、複数の熱伝導部材のうち一の熱伝導部材の少なくとも一部に第１遮蔽部が設けられているので、例えば複数の熱伝導部材が上記の異なる各位置に移動したときに、他の熱伝導部材との隙間が第１遮蔽部で覆われることになる。このため、複数の熱伝導部材の境界部分の隙間から光が漏れるのを防ぐことができ、吸収する光の光量を多くすることができる。これにより、熱伝導部材によって発生する熱量を多くすることができ、多くの熱を光変調素子に伝達することができる。
【００１３】
上記プロジェクタは、前記熱伝導部材が前記光照射領域の周縁部を遮蔽可能な第２遮蔽部を有していることを特徴とする。  
本発明によれば、熱伝導部材が光照射領域の周縁部を遮蔽可能な第２遮蔽部を有しているので、光照射領域の周縁部に光が漏れるのを防ぐことができ、吸収する光の光量を多くすることができる。これにより、熱伝導部材によって発生する熱量を多くすることができ、多くの熱を光変調素子に伝達することができる。
【００１４】
上記プロジェクタは、前記液晶分子の配向状態をスプレイ配向からベンド配向へと転移するベンド転移時に前記熱伝導部材が前記位置に移動するように、前記熱伝導部材の移動を制御する移動制御手段を更に具備することを特徴とする。  
本発明によれば、液晶分子の配向状態をスプレイ配向からベンド配向へと転移するベンド転移時に熱伝導部材が上記の位置に移動するように、熱伝導部材を制御する移動制御手段を更に具備するので、プロジェクタを駆動した状態であっても自動的に熱伝導部材を移動させることができる。
【００１５】
上記プロジェクタは、前記光変調素子の少なくとも一部がフレームによって覆われており、前記ベンド転移時以外のときには、前記熱伝導部材が前記フレームに接触していることを特徴とする。  
本発明によれば、光変調素子の少なくとも一部がフレームによって覆われており、ベンド転移時以外のときには熱伝導部材がこのフレームに接触しているので、ベンド移転時以外の時には当該フレームを放熱フィンとして熱伝導部材を冷却することができる。これにより、駆動時にプロジェクタの温度が高くなり過ぎるのを防ぐことができる。
【発明を実施するための最良の形態】
【００１６】
以下、図面を参照して本発明の実施形態を説明する。以下の説明に用いる各図では、各層や各部材を図面上で認識可能な程度の大きさとするため、各層や各部材ごとに縮尺を適宜変更している。  
図１は、プロジェクタ１の全体構成を模式的に示す図である。  
プロジェクタ１は、画像表示装置２と、投射レンズ３と、起動制御部５とを主体として構成されている。
【００１７】
画像表示装置２は、光源１０と、均一照明系２０と、色変調部３０とを有している。  
光源１０は、メタルハライドランプ、超高圧水銀ランプやキセノンランプなどの白色光を照射するランプ１１と、当該ランプ１１から射出された白色光を反射・集光するリフレクタ１２とを有している。リフレクタ１２としては、放物面鏡を用いることが好ましい。
【００１８】
均一照明系２０は、光源１０からの白色光の輝度分布を均一化する光学系であり、第１レンズアレイ２１と、第２レンズアレイ２２と、偏光変換素子２３と、集光レンズ２４とを有している。第１レンズアレイ２１及び第２レンズアレイ２２は、光源１０の光射出側に配置されている。この第１レンズアレイ２１及び第２レンズアレイ２２は、例えばフライアイレンズなどからなり、光の輝度分布を均一化する光学部材である。偏光変換素子２３は、第２レンズアレイ２２の光射出側に配置されており、光の偏光方向を一方向に揃える光学素子である。集光レンズ２４は、偏光変換素子２３の光射出側に配置されたレンズである。
【００１９】
色変調部３０は、均一照明系２０から入射した白色光の波長領域のうちの赤色（Ｒ）、緑色（Ｇ）、青色（Ｂ）の３原色の輝度をそれぞれ変調する部分であり、２つのダイクロイックミラー３１ａ、３１ｂと、３つのミラー３２ａ、３２ｂ、３２ｃと、５つのフィールドレンズ（レンズ３３、リレーレンズ３４、平行化レンズ３５Ｒ、３５Ｇ、３５Ｂ）と、３つのシャッタ部３６Ｒ、３６Ｇ、３６Ｂと、３つの液晶ライトバルブ３７Ｒ、３７Ｇ、３７Ｂと、クロスダイクロイックプリズム３８とを有している。
【００２０】
ダイクロイックミラー３１ａ、３１ｂは、白色光をＲＧＢの３原色光に分離（分光）するための光学部材である。ダイクロイックミラー３１ａは、集光レンズ２４の光射出側に光の進行方向に対して４５°傾くように配置されており、青色光及び緑色光を反射すると共に赤色光を透過する性質のダイクロイック膜がガラス板などの光透過可能な基板に貼り付けられた構成になっている。ダイクロイックミラー３１ｂは、ダイクロイックミラー３１ａの光反射側に光の進行方向に対して４５°傾くように配置されており、緑色光を反射すると共に青色光を透過する性質のダイクロイック膜がガラス板などの光透過可能な基板に貼り付けられた構成になっている。
【００２１】
レンズ３３及びリレーレンズ３４は、ダイクロイックミラー３１ｂを透過した光を平行化レンズ３５Ｂに伝達する光学部材である。レンズ３３はダイクロイックミラー３１ｂの光透過側に配置されており、リレーレンズ３４に光を効率よく入射させるために設けられている。
【００２２】
平行化レンズ３５Ｒ、３５Ｇ、３５Ｂは、対応する液晶ライトバルブ３７Ｒ、３７Ｇ、３７Ｂの光入射側に配置されており、液晶ライトバルブ３７Ｒ、３７Ｇ、３７Ｂに入射する各色光の主光線を略並行化する凸レンズである。  
シャッタ部３６Ｒ、３６Ｇ、３６Ｂは、液晶ライトバルブ３７Ｒ、３７Ｇ、３７Ｂに対して光源１０側に設けられており、光源１０からの光を遮光することが可能になっている。
【００２３】
液晶ライトバルブ３７Ｒ、３７Ｇ、３７Ｂは、アクティブマトリクス型、ＯＣＢモードの液晶装置であり、光入射面及び光射出面にはそれぞれ偏光板が貼付されている。図２は、ＯＣＢモードの液晶装置における液晶の配向状態の説明図である。上記液晶ライトバルブ３７Ｒ、３７Ｇ、３７Ｂに用いられる液晶装置は、対向配置された一対の基板５１、５２と、一対の基板５１、５２で挟持された液晶層５３とを有している。ＯＣＢモードの液晶装置では、その初期状態（非動作時）において、図２（ａ）に示すように液晶分子５４の配向がスプレイ状に開いた状態（スプレイ配向）になっており、表示動作時には、図２（ｂ）に示すように液晶分子５４の配向が弓なりに曲がった状態（ベンド配向）になっている。
【００２４】
クロスダイクロイックプリズム３８は、４つの直角プリズムが貼り合わされた構成になっており、これら直角プリズムの貼り合わせ面には、青色光を反射する誘電体多層膜（青色光反射ダイクロイック膜３８ａ）と、赤色光を反射する誘電体多層膜（赤色光反射ダイクロイック膜３８ｂ）とが形成されている。
【００２５】
図３は、シャッタ部３６Ｒ、３６Ｇ、３６Ｂ及び液晶ライトバルブ３７Ｒ、３７Ｇ、３７Ｂの外部構成を示す斜視図である。このシャッタ部及び液晶ライトバルブの構成は、赤色光、緑色光及び青色光のそれぞれの光路において同一の構成になっているので、図３以降は「シャッタ部３６」「液晶ライトバルブ３７」としてまとめて表記することとする。
【００２６】
液晶ライトバルブ３７は、光照射領域３７ａと周辺領域３７ｂとを有している。光照射領域３７ａは、光源１０側の表面のうち光源１０からの光が照射される領域である。この光照射領域３７ａに照射される光が変調されて表示に用いられるようになっている。周辺領域３７ｂは、光照射領域３７ａの周辺の領域であり、フレーム６０によって覆われている。周辺領域３７ｂには、液晶ライトバルブ３７の動作を制御するドライバ（ライトバルブドライバ）４０が設けられている。フレーム６０は、例えばアルミニウム等の金属を主成分として構成されており、上記の周辺領域３７ｂを含めた液晶ライトバルブ３７の周縁部分を覆っている。
【００２７】
シャッタ部３６は、熱伝導部材６１と、ガイド機構６２と、シャッタ制御ドライバ６３とを主体として構成されている。  
熱伝導部材６１は、光吸収率が高く熱伝導性が高い材料を主成分として構成された板状部材であり、例えば黒色のクロムや表面を処理したアルミニウム等からなる。熱伝導部材６１は、液晶ライトバルブ３７の長手方向に延在するフレーム６０の一方の辺６０ａ側（以下、「上側」という）に１つ設けられており、フレーム６０の上記辺６０ａに対向する辺６０ｂ側（以下、「下側」という）にもう１つ設けられている。熱伝導部材６１は、液晶ライトバルブ３７の長手方向に自身の長手方向を有するように形成されている。各熱伝導部材６１の一端には、それぞれガイド機構６２に接続された接続部６４が設けられている。熱伝導部材６１のうち液晶ライトバルブ３７側の面６１ｆは平坦面になっている。
【００２８】
この熱伝導部材６１は、液晶ライトバルブ３７の光照射領域３７ａに照射される光を吸収可能な程度の厚さを有しており、当該光を遮光可能であると共に面６１ｆが光照射領域３７ａに接触する位置７０に移動可能に設けられている。２つの熱伝導部材６１のうち上側の熱伝導部材６１は、液晶ライトバルブ３７の光照射領域３７ａの上側半分を覆う位置に移動可能となっている。下側の熱伝導部材６１は、液晶ライトバルブ３７の光照射領域３７ａの下側半分を覆う位置に移動可能となっている。このように２つの熱伝導部材６１を液晶ライトバルブ３７に対して上側及び下側に配置し、液晶ライトバルブ３７に対して異なる方向から移動させることにより、熱伝導部材を同一の方向から移動させる場合に比べて移動距離が短くなるため、熱伝導部材６１の移動スペースを狭くすることができるようになっている。
【００２９】
上側の熱伝導部材６１の下辺側には遮蔽部（第１遮蔽部）６１ｂが形成されている。遮蔽部６１ｂは、当該熱伝導部材６１が上記位置７０に移動したときに下側の熱伝導部材６１との間に形成される境界部分６１ａを覆うことができるようになっている。また、上側の熱伝導部材６１の上辺側には遮蔽部（第２遮蔽部）６１ｃが形成されている。遮蔽部６１ｃは、光照射領域３７ａに近接する位置に移動したときに自身とフレーム６０との間を覆うことができるようになっている。下側の熱伝導部材６１の下辺側には、遮蔽部（第２遮蔽部）６１ｄが設けられている。遮蔽部６１ｄは、光照射領域３７ａに近接する位置に移動したときに自身とフレーム６０との間を覆うことができるようになっている。遮蔽部６１ｂ、遮蔽部６１ｃ及び遮蔽部６１ｄは、光源１０側に断面Ｌ字状に突出するように形成されている。
【００３０】
ガイド機構６２は、支柱６５と、ガイドレール６６とを主体として構成されている。支柱６５は、熱伝導部材６１のうち接続部６４が設けられた側に配置されており、直方体をなしている。支柱６５のうち１つの面６５ａが液晶ライトバルブ３７側を向いた状態で配置されている。ガイドレール６６は、支柱６５の面６５ａに設けられた２本の平行なレールである。それぞれのレールが熱伝導部材６１の接続部６４を挟むように設けられている。各レールは、支柱６５の端部から中央部に曲線状に延びており、中央部に至るにつれて液晶ライトバルブ３７側に延びるようになっている。上記の熱伝導部材６１は、当該ガイドレール６６に沿って移動するようになっている。
【００３１】
シャッタ制御ドライバ６３は、熱伝導部材６１の移動のタイミングや移動量などを制御する制御部であり、例えばガイド機構６２の支柱６５内に設けられている。このシャッタ制御ドライバ６３とガイド機構６２とによって、熱伝導部材６１を移動させる移動制御手段が構成されている。
【００３２】
図４は、プロジェクタ１の制御系の構成を示すブロック図である。  
同図に示すように、プロジェクタ１の制御系は、起動制御部５と、ライトバルブドライバ４０と、シャッタ制御ドライバ６３とを主体として構成されている。起動制御部５には、例えば電源などの外部機構から起動信号が供給されるようになっている。ライトバルブドライバ４０には、パソコンなどの外部機構から画像信号が供給されるようになっている。起動制御部５は、ライトバルブドライバ４０及びシャッタ制御ドライバ６３に接続されており、これらのドライバに制御信号を供給可能になっている。
【００３３】
次に、上記のように構成されたプロジェクタの動作を説明する。図５は、プロジェクタの起動から終了までの動作ステップを示すフローチャートである。  
図５に示すように、プロジェクタ１を起動すると（ステップ１）、起動制御部５に起動信号が供給される。プロジェクタ１を起動させる前のシャッタ部３６の状態は、図６に示すようにシャッタ部３６の熱伝導部材６１は液晶ライトバルブ３７の光照射領域３７ａを覆っておらず、光源１０からの光に対して光照射領域３７ａが露出した状態になっている。なお、図６では主として熱伝導部材６１の位置に関する説明図であり、ガイドレール６６等の記載を省略している。
【００３４】
起動信号が供給されたら、起動制御部５は光源１０を点灯させるよう制御する（ステップ２）。光源１０が点灯したら、シャッタ制御ドライバ６３はシャッタ部３６の熱伝導部材６１を移動させるように制御する（ステップ３）。シャッタ部３６の上側及び下側の熱伝導部材６１は、図６に示す位置７０に移動する。この結果、図７に示すように、上下の熱伝導部材６１の面６１ｆが液晶ライトバルブ３７の光照射領域３７ａに密着し、光照射領域３７ａが熱伝導部材６１によって覆われる。上下の熱伝導部材６１の境界６１ａは遮蔽部６１ｂによって覆われる。上下の熱伝導部材６１とフレーム６０との間は遮蔽部６１ｃ及び遮蔽部６１ｄによって覆われる。光源１０からの光Ｌは熱伝導部材６１に照射され、熱伝導部材６１はこの光を吸収して発熱する。この熱は、熱伝導部材６１に密着している光照射領域３７ａを介して液晶ライトバルブ３７の液晶層５３に伝わっていき、液晶層５３が加熱される。
【００３５】
液晶層５３の温度が上昇した状態で、ライトバルブドライバ４０は、液晶層５３に電圧を印加してベンド転移を行う（ステップ４）。電圧の印加を開始してから所定時間が経過すると、液晶層の液晶分子の配向がスプレイ配向からベンド配向になり、液晶ライトバルブ３７が光変調可能な状態になる。ここでは、液晶層に電圧を印加してから上記所定時間が経過したときに液晶ライトバルブ３７が光変調可能な状態になったとみなされ、ライトバルブドライバ４０に例えば外部から画像信号が入力される（ステップ５）。ライトバルブドライバ４０に画像信号が入力されたら、シャッタ制御ドライバ６３は熱伝導部材６１を元の位置（図６に示す位置）に移動するよう制御する（ステップ６）。熱伝導部材６１が移動することにより光照射領域３７ａが露出する。露出した光照射領域３７ａに光源１０からの光が照射され、液晶ライトバルブ３７によって光変調が行われて、画像の表示が行われる（ステップ７）。プロジェクタ１の電源をオフにすると、熱伝導部材６１が図６に示すように開いたままの状態でプロジェクタ１の起動が終了する（ステップ８）。
【００３６】
このように、本実施形態によれば、液晶ライトバルブ３７の光照射領域３７ａに照射される光を遮光可能であると共にこの光照射領域３７ａに近接した位置に移動可能に設けられ、光源１０からの光を吸収して発する熱を自身の近傍に伝達可能な熱伝導部材６１を具備するので、熱伝導部材６１を当該位置に移動させた場合、当該熱伝導部材６１は光源１０からの光を吸収して発熱し、この熱を近傍の液晶ライトバルブ３７に伝達することになる。このため、上記のように液晶分子の配向状態をスプレイ配向からベンド配向へと転移するときに熱伝導部材６１を上記位置に移動させることによって、熱伝導部材６１から光照射領域３７に熱を伝達することができ、ベンド転移の際の液晶層の温度を高くすることができる。これにより、ベンド転移に要する時間を短くすることができる。しかも、従来のような大掛かりな加熱機構を搭載することも無いため、低コスト化かつ省スペース化を図ることができる。
【００３７】
また、上下の熱伝導部材６１が遮蔽部６１ｂ、６１ｃ、６１ｄを有しているので、熱伝導部材６１の境界部分６１ａが遮蔽部６１ｂによって覆われることになると共に、熱伝導部材６１とフレーム６０との隙間が遮蔽部６１ｃ、６１ｄによって覆われることになる。このため、熱伝導部材６１の境界部分６１ａ及びフレーム６０との隙間から光が漏れるのを防ぐことができ、吸収する光の光量を多くすることができる。これにより、熱伝導部材６１によって発生する熱量を多くすることができ、多くの熱を光変調素子に伝達することができる。
【００３８】
本発明の技術範囲は上記実施形態に限定されるものではなく、本発明の趣旨を逸脱しない範囲で適宜変更を加えることができる。  
例えば、上記実施形態では、光照射領域３７ａに密接する熱伝導部材６１の面６１ｆを平坦面として説明したが、これに限られることは無い。例えば図８に示すように、光照射領域３７ａに接触する部分に凸部６１ｇを形成するようにしても構わない。これにより、熱伝導部材６１によって発生した熱を当該接触部分を介して直接的に光照射領域３７ａに伝導させることができる。加えて、熱伝導部材６１の全面を密接させるのではなく凸部６１ｇのみ当接させることによって光照射領域３７ａに傷がつくのを極力抑えることができる。
【００３９】
また、上記実施形態では、ベンド転移時以外のときには熱伝導部材６１を図６に示すように液晶ライトバルブ３７から離れた位置で保持する構成としたが、これに限られることは無い。例えば図９に示すように、熱伝導部材６１を液晶ライトバルブ３７のフレーム６０に接触するように保持しても構わない。このような構成では、ベンド移転時以外の時にはフレーム６０を放熱フィンとして熱伝導部材６１を冷却することができる。これにより、駆動時にプロジェクタ１の温度が高くなり過ぎるのを防ぐことができる。また、例えば図１０に示すように、プロジェクタ１内を流通する空気が液晶ライトバルブ３７に向けて流れるように熱伝導部材６１を液晶ライトバルブ３７に対して傾けて配置させても構わない。これにより、液晶ライトバルブ３７の駆動時に液晶ライトバルブ３７を冷却することができ、プロジェクタ１の温度が高くなりすぎるのを防ぐことができる。
【００４０】
また、上記実施形態では、プロジェクタ１の電源をオフにしたときに、熱伝導部材６１を図６に示すように開いたままの状態でプロジェクタ１の起動を終了する構成であったが、これに限られることは無く、例えば図７に示すように熱伝導部材６１が光照射領域３７ａに密接した状態でプロジェクタ１の起動を終了するようにしても構わない。このようにすれば、光照射領域３７ａにチリや埃が付着するのを防ぐことができる。
【００４１】
また、上記実施形態では、熱伝導部材６１を上下に１つずつ、計２つ設けた構成としたが、これに限られることは無く、熱伝導部材６１を１つ又は３つ以上設ける構成としても構わない。また、上記実施形態では、熱伝導部材６１の動作をシャッタ制御ドライバ６３によって制御する構成としたが、これに限られることは無く、例えば熱伝導部材を手動で移動させる構成であっても構わない。
【図面の簡単な説明】
【００４２】
【図１】本発明の実施形態に係るプロジェクタの全体構成を示す図。
【図２】本実施形態に係るプロジェクタに搭載される液晶装置の構成を示す断面図。
【図３】本実施形態に係るプロジェクタの一部分の構成を示す斜視図。
【図４】本実施形態に係るプロジェクタの制御系の構成を示すブロック図。
【図５】本実施形態に係るプロジェクタの動作を示すフローチャート。
【図６】本実施形態に係るプロジェクタの動作を示す図（その１）。
【図７】本実施形態に係るプロジェクタの動作を示す図（その２）。
【図８】本発明に係るプロジェクタの他の構成を示す図。
【図９】本発明に係るプロジェクタの他の構成を示す図。
【図１０】本発明に係るプロジェクタの他の構成を示す図。
【符号の説明】
【００４３】
１…プロジェクタ  ２…画像表示装置  ５…起動制御部  １０…光源  ３６…シャッタ部  ３７…液晶ライトバルブ  ３７ａ…光照射領域  ３７ｂ…周辺領域  ４０…ライトバルブドライバ  ５１…液晶分子  ６０…フレーム  ６１…熱伝導部材  ６１ｂ、６１ｃ、６１ｄ…遮蔽部  ６１ｇ…凸部  ６２…ガイド機構  ６３…シャッタ制御ドライバ  ６４…接続部  ６５…支柱  ６６…ガイドレール  ７０…位置
【図１】
2008083178.tif 000003
【図２】
2008083178.tif 000004
【図３】
2008083178.tif 000005
【図４】
2008083178.tif 000006
【図５】
2008083178.tif 000007
【図６】
2008083178.tif 000008
【図７】
2008083178.tif 000009
【図８】
2008083178.tif 000010
【図９】
2008083178.tif 000011
【図１０】
2008083178.tif 000012